(57)【要約】【課題】  部品点数を少なくすることができるとともに、コストを低下させることのできる電子ドラムの取付構造を提供すること。【解決手段】  ドラムヘッド部２２と、ドラムヘッド部２２の振動を検出するセンサ部２３と、ドラムヘッド部２２とセンサ部２３とを保持するボディ部２４とで電子ドラム２０を構成した。そして、ボディ部２４を、ドラムヘッド部２２の周縁部を保持するドラムヘッド保持部２４ａと、ドラムヘッド保持部２４ａと一体的に形成され、ドラムヘッド保持部部２４ａの外側に延びるパイプ状の取付部２４ｂとで構成した。また、スタンド１１に、取付部２４ｂが挿通可能な挿通穴２１ｂを備えた支持部２８と、支持部２８の挿通穴２１ｂの開口状態を調節するためのねじ３３とを備えた支持部材２１を設けた。さらに、ドラムヘッド保持部２４ａと取付部２４ｂとの境界部分に、曲面筒部２５を形成した。【選択図】  図２
2006259193.tif 000002
【特許請求の範囲】
【請求項１】
打面を構成するドラムヘッド部と、前記ドラムヘッド部の裏面側に設けられ前記ドラムヘッド部が打撃された際に発生する振動を検出するセンサ部と、前記ドラムヘッド部と前記センサ部とを保持するボディ部とからなる電子ドラムを、スタンドに取り付けるための電子ドラムの取付構造であって、
前記ボディ部を、前記ドラムヘッド部との間に前記センサ部を収容した状態で、前記ドラムヘッド部の周縁部を保持するドラムヘッド保持部と、前記ドラムヘッド保持部と一体的に形成され、前記ドラムヘッド保持部の外側に延びる棒状またはパイプ状の取付部とで構成し、前記スタンドに、前記取付部が挿通可能な挿通穴を備えた支持部と、前記取付部に対する前記支持部の挿通穴の締付け状態を調節するための締結部とを備えた支持部材を設けたことを特徴とする電子ドラムの取付構造。
【請求項２】
前記ドラムヘッド保持部における前記取付部との境界部分を、前記ドラムヘッド保持部側から前記取付部に近づくにしたがって直径が小さくなる先細り状の曲面部に形成した請求項１に記載の電子ドラムの取付構造。
【発明の詳細な説明】
【技術分野】
【０００１】
本発明は、電子ドラムをスタンドに取り付けるための電子ドラムの取付構造に関する。
【背景技術】
【０００２】
従来から、板状のパッドで打面が構成されたドラムヘッド部と、ドラムヘッド部が打撃された際に発生する振動を検出するセンサ部と、ドラムヘッド部とセンサ部を保持するボディ部とを備え、センサ部の検出値に応じてスピーカーから打音を発生する電子ドラムが用いられている（例えば、特許文献１参照）。このような電子ドラムの中には、複数個がセットとして用いられ、これらの電子ドラムがそれぞれ取付部材を介してスタンドに取り付けられたものがある。そして、このような電子ドラムは、一般的に、クランプ構造をした部材をボディ部に取り付け、この部材とスタンド側に設けられた金属ロッド等をねじで固定することによりスタンドに取り付けられている。
【特許文献１】特開平６−１７５６５１号公報
【発明の開示】
【０００３】
しかしながら、前述した従来の電子ドラムでは、スタンドに取り付けるための取付部材の部品点数が多くなるとともに、金属部材が用いられるため、コストが高くなってしまうという問題が生じていた。
【０００４】
本発明は、前述した問題に対処するためになされたもので、その目的は、部品点数を少なくすることができるとともに、コストを低下させることのできる電子ドラムの取付構造を提供することである。
【０００５】
前述した目的を達成するため、本発明に係る電子ドラムの取付構造の構成上の特徴は、打面を構成するドラムヘッド部と、ドラムヘッド部の裏面側に設けられドラムヘッド部が打撃された際に発生する振動を検出するセンサ部と、ドラムヘッド部とセンサ部とを保持するボディ部とからなる電子ドラムを、スタンドに取り付けるための電子ドラムの取付構造であって、ボディ部を、ドラムヘッド部との間にセンサ部を収容した状態で、ドラムヘッド部の周縁部を保持するドラムヘッド保持部と、ドラムヘッド保持部と一体的に形成され、ドラムヘッド保持部の外側に延びる棒状またはパイプ状の取付部とで構成し、スタンドに、取付部が挿通可能な挿通穴を備えた支持部と、取付部に対する支持部の挿通穴の締付け状態を調節するための締結部とを備えた支持部材を設けたことにある。
【０００６】
前述したように構成した本発明に係る電子ドラムの取付構造では、電子ドラムのボディ部を、ドラムヘッド部を保持するドラムヘッド保持部と、ドラムヘッド保持部と一体的に形成された棒状またはパイプ状の取付部とで構成している。そして、この取付部を、スタンドに設けられた支持部材に直接取り付けるようにしている。したがって、従来のように、クランプ構造の部材や金属ロッド等の部材が不要になり、電子ドラムをスタンドに取り付けるための部材は支持部材だけですむ。この結果、部品点数が少なくなり、製造コストが低減する。また、取付部の長さを長く設定することにより、スタンドに対する電子ドラムの高さを任意の高さに調節できるようになる。さらに、取付部をパイプ状に形成することにより、強度を高めることができるとともに、内部にセンサ部から延びる配線を通すことができる。
【０００７】
また、本発明に係る電子ドラムの取付構造の他の構成上の特徴は、ドラムヘッド保持部における取付部との境界部分を、ドラムヘッド保持部側から取付部に近づくにしたがって直径が小さくなる先細り状の曲面部に形成したことにある。これによると、ドラムヘッド保持部と取付部との境界部が角部でなくなるため、一定の部分に応力が集中することがなくなる。この結果、ボディ部が応力集中により破壊されることがなくなり、ボディ部の強度が高まる。
【発明を実施するための最良の形態】
【０００８】
以下、本発明に係る電子ドラムの取付構造を図面を用いて説明する。図１は、本発明の一実施形態に係る電子ドラムの取付構造を備えた電子ドラムセット１０を示している。この電子ドラムセット１０は、スタンド１１と、スタンド１１にそれぞれ着脱自在に取り付けられた複数個の電子ドラム２０、電子シンバル１２および音調節装置１３と、床面に設置された電子バスドラム１４とで構成されている。スタンド１１は複数個のパイプ状の部材を組み付けて枠状に形成された台で構成されている。
【０００９】
このスタンド１１は、Ｌ字状に組み付けられて互いに平行に対向して配置された側部１５ａ，１５ｂと、側部１５ａ，１５ｂの上部側部分に上下に間隔を保って掛け渡された水平支持部１６ａ，１６ｂと、側部１５ａの上端部から水平支持部１６ａ，１６ｂと反対側の水平方向に延びた長さが短い短支持部１６ｃとで構成されている。そして、スタンド１１の下端部の四隅には、それぞれスタンド１１を安定した状態で支持するための支持台部１７が取り付けられている。
【００１０】
また、電子ドラム２０は、それぞれ支持部材２１を介して、水平支持部１６ａ，１６ｂの所定部分に取り付けられている。この電子ドラム２０は、図２に示したように、打面を構成する円板状のドラムヘッド部２２と、ドラムヘッド部２２の裏面に設けられたセンサ部２３と、ドラムヘッド部２２を保持するボディ部２４とで構成されている。ドラムヘッド部２２は、軟質のゴム材料からなるパッド２２ａと、硬質の樹脂材料からなる振動板２２ｂとを積層して構成されており、演奏者がスティック（図示せず）でパッド２２ａを打撃することにより、振動板２２ｂがその打撃に応じて振動する。
【００１１】
そして、センサ部２３が、振動板２２ｂの振動を検出する。このセンサ部２３は、圧電素子で構成されており、配線（図示せず）を介して音調節装置１３に接続されている。そして、センサ部２３が検出した振動板２２ｂの振動は、電気信号として音調節装置１３に送信される。また、ボディ部２４は、一体成形によって一体的に形成された軟質のポリプロピレンからなる部材で構成されており、ドラムヘッド部２２を保持するドラムヘッド保持部２４ａと、円筒状に形成された取付部２４ｂとを備えている。
【００１２】
すなわち、ドラムヘッド保持部２４ａは、上面が開口された浅い容器状に形成され、その開口縁部に、ドラムヘッド部２２の周縁部が固定されている。また、ドラムヘッド保持部２４ａの後端部には穴部が形成され、その穴部の周壁部が、下方に行くほど細くなった略漏斗状の曲面筒部２５に形成されている。そして、曲面筒部２５の下端部が取付部２４ｂに連なっている。また、曲面筒部２５と取付部２４ｂとの境界部外周面には、上下方向に延びる細い位置決め用の突部２６が円周に沿って等間隔で４個（２個しか図示していない）設けられている。
【００１３】
支持部材２１は、図３に示したように、水平支持部１６ａ（，１６ｂ）を内部に挿通させることのできる挿通穴２１ａを備えた本体部２７と、本体部２７の前部側に設けられ、取付部２４ｂを内部に挿通させることができる挿通穴２１ｂを備えた支持部２８とで構成されている。本体部２７の後部は、対向して上下に配置された締付片２７ａ，２７ｂで構成されている。そして、この締付片２７ａ，２７ｂを互いに接近させる力を加えることにより、挿通穴２１ａを小さくして支持部材２１を水平支持部１６ａ（，１６ｂ）に固定することができる。
【００１４】
また、締付片２７ａの左右両側部分には、それぞれ上下に貫通する穴部（図示せず）が形成され、締付片２７ｂの左右両側部分における締付片２７ａの穴部に対向する部分には、それぞれ上下に貫通するねじ穴（図示せず）が形成されている。そして、穴部にそれぞれねじ３１ａ，３１ｂを通し、ねじ３１ａ，３１ｂの先端側部分をねじ穴に螺合させることにより、支持部材２１は水平支持部１６ａ（，１６ｂ）に固定されている。また、このねじ３１ａ，３１ｂとねじ穴との螺合位置を変えることにより本体部２７が水平支持部１６ａ（，１６ｂ）を締め付けるための締付力を変えることができる。
【００１５】
支持部２８の前部は、対向して左右に配置された締付片２８ａ，２８ｂで構成されている。そして、この締付片２８ａ，２８ｂを互いに接近させる力を加えることにより、挿通穴２１ｂを小さくして取付部２４ｂを支持部材２１に固定することができる。また、締付片２８ａの先端における上下方向の中央部には、左右に貫通するねじ穴（図示せず）を備えた筒状の締結部３２ａが形成され、締付片２８ｂの先端における上下方向の中央部には、左右に貫通する穴部（図示せず）を備えた筒状の締結部３２ｂが形成されている。締結部３２ａのねじ穴と締結部３２ｂの穴部とは同軸的に形成されている。
【００１６】
そして、締結部３２ｂの穴部にねじ３３を通し、ねじ３３の先端側部分を締結部３２ａのねじ穴に螺合させることにより、取付部２４ｂは支持部２８に固定される。また、締結部３２ａと締結部３２ｂとは、ねじ３３を、水平支持部１６ａ（，１６ｂ）に対して傾斜させるような配置で設けられており、ねじ３３が穴部とねじ穴に取り付けられたときにその頭部（操作部）側が手前側に位置するようになっている。これによって、ねじ３３の操作がし易くなる。また、このねじ３３とねじ穴との螺合位置を変えることにより取付部２４ｂを締め付けるための締付力を変えることができる。さらに、支持部２８の上面は、前部側が低くなった傾斜面に形成されており、その支持部２８の上面における挿通穴２１ｂの後端縁部には、平面視が四角形の切り欠き部３４が形成されている。
【００１７】
この切欠き部３４における挿通穴２１ｂの縁部に沿った方向の幅は、ボディ部２４に設けられた突部２６の幅よりも大きく設定されている。したがって、取付部２４ｂを挿通穴２１ｂ内に通したときに、突部２６のうちの一つが切欠き部３４内に位置決めされ、突部２６が切欠き部３４内で移動できる範囲内で電子ドラム２０は回転できる。また、センサ部２３から延びる配線は、取付部２４ｂの内部を通過して取付部２４ｂの下端部から音調節装置１３に延びている。なお、スタンド１１、電子ドラム２０および支持部材２１で、本発明に係る取付構造が構成される。
【００１８】
電子シンバル１２および音調節装置１３は、所定の支持部材３５ａ，３５ｂを介して、水平支持部１６ａと短支持部１６ｃとに固定されている。また、電子シンバル１２も、センサ部や振動板を含んでおり、配線を介して音調節装置１３に接続されている。電子バスドラム１４は、フットペダル１４ａ、フットペダル１４ａの操作により駆動するハンマー部１４ｂ、打面部１４ｃおよびセンサ部や振動板を備えている。この電子シンバル１２および電子バスドラム１４も、演奏者の打撃操作によって、それぞれの振動板が振動し、センサ部が、振動板の振動を検出する。そして、センサ部は、配線を介して音調節装置１３に、振動板の振動を信号として送信する。
【００１９】
また、音調節装置１３には、スピーカー（図示せず）が配線を介して接続されている。そして、音調節装置１３は、電子ドラム２０等から送られてくる電気信号に基づいて、発音する音を増幅したり、音質や音程を調節したりしてスピーカーから発生させる。また、スピーカーに代えてヘッドホーンを音調節装置１３に接続して、消音した状態でヘッドホーンからその音を聞くこともできる。
【００２０】
以上のように構成された電子ドラムセット１０を演奏する場合には、ねじ３１ａ，３１ｂを緩めた状態で、各支持部材２１を水平支持部１６ａ（，１６ｂ）に沿って移動させて所定の位置に位置決めする。ついで、各支持部材２１を水平支持部１６ａ（，１６ｂ）の軸回り方向に回転させて上下方向の向きを所定の角度にした状態で、ねじ３１ａ，３１ｂを締める。つぎに、ねじ３３を緩めた状態で、各電子ドラム２０を取付部２４ｂの軸回り方向に回転させて、図４に示したように、左右方向の向きを所定の向きにした状態で、ねじ３３を締めて各電子ドラム２０を固定する。この場合、電子ドラム２０を上下に移動させて上下方向の位置を調節することもできる。
【００２１】
また、支持部材３５ａ，３５ｂの位置や角度を調節することにより、電子シンバル１２および音調節装置１３も操作し易い所定の位置に固定する。さらに、電子バスドラム１４を床面における所定の位置に設置する。そして、電子ドラムセット１０の前に椅子を置き、演奏者は、椅子に座った状態で、電子ドラム２０等をスティックで打撃することにより演奏することができる。
【００２２】
このように、本実施形態に係る電子ドラムの取付構造では、電子ドラム２０のボディ部２４を、一体成形により成形されたドラムヘッド保持部２４ａと、パイプ状の取付部２４ｂとで構成している。そして、この取付部２４ｂを、水平支持部１６ａ（，１６ｂ）に取り付けられた支持部材２１に取り付けるようにしている。したがって、電子ドラム２０をスタンド１１に取り付けるための部材が、支持部材２１だけで済み、部品点数が少なくなり、コストが低減する。また、ボディ部２４を一体成形による成形品で構成することによって、構造を単純にできるとともに、コストを低下することができる。
【００２３】
さらに、上下方向に延びる取付部２４ｂを支持部材２１で固定することによって電子ドラム２０がスタンド１１に取り付けられているため、打撃中に電子ドラム２０が水平支持部１６ａ（，１６ｂ）の軸回り方向に回転することがなく、打撃方向に対する強度が高くなる。また、電子ドラム２０の上下方向の位置を調節することもできる。さらに、ボディ部２４には突部２６が設けられているため、取付部２４ｂが支持部材２１の挿通穴２１ｂ内に必要以上入り込むことがなくなる。また、取付部２４ｂが円筒状に形成されているため、軸回り方向の位置を自由に調節することができる。
【００２４】
さらに、取付部２４ｂは、ドラムヘッド保持部２４ａの後端部に設けられて偏心した状態になっているため、電子ドラム２０を回転させることでその位置を調節することができる。また、ねじ３３が取付部２４ｂに対して直交する水平左右方向に延びているため、操作がし易くなるとともに、締付けが確実になる。同様に、ねじ３１ａ，３１ｂが水平支持部１６ａ（，１６ｂ）に対して直交する上下方向に延びているため、操作がし易くなるとともに、締付けが確実になる。また、ボディ部２４が軟質のポリプロピレンで構成されているため、パッド２２ａが打撃された際の衝撃を吸収することができる。さらに、ドラムヘッド保持部２４ａと取付部２４ｂとの境界部に曲面筒部２５が形成されているため、ボディ部２４の応力集中による破壊を防止することができる。
【００２５】
また、本発明に係る電子ドラムの取付構造は、前述した実施形態に限定するものでなく技術的範囲で適宜変更実施が可能である。例えば、前述した実施形態では、取付部２４ｂを筒状に形成しているが、これを棒状にすることもできる。また、ねじ３３が、水平支持部１６ａ（，１６ｂ）に対して傾斜するようにして、ねじ３３の頭部（操作部）が手前側に位置するようにしているが、ねじ３３が水平支持部１６ａ（，１６ｂ）に対して平行するようにすることもできる。さらに、前述した実施形態では、突部２６を間隔を保って４個設けているが、これを、取付部２４ｂの周面全体に沿って設けてもよい。また、それ以外の各部分の構成や材料等についても本発明の技術的範囲内で適宜変更して実施することができる。
【図面の簡単な説明】
【００２６】
【図１】本発明の一実施形態に係る電子ドラムの取付構造を備えた電子ドラムセットを示した斜視図である。
【図２】電子ドラムを示した断面図である。
【図３】水平支持部に取り付けられた支持部材を示した斜視図である。
【図４】電子ドラムの位置調節をする状態を示した斜視図である。
【符号の説明】
【００２７】
１１…スタンド、１６ａ，１６ｂ…水平支持部、２０…電子ドラム、２１…支持部材、２１ａ，２１ｂ…挿通穴、２２…ドラムヘッド部、２２ａ…パッド、２２ｂ…振動板、２３…センサ部、２４…ボディ部、２４ａ…ドラムヘッド保持部、２４ｂ…取付部、２５…曲面筒部、２８…支持部、２８ａ，２８ｂ…締付片、３２ａ，３２ｂ…締結部、３３…ねじ。
【図１】
2006259193.tif 000003
【図２】
2006259193.tif 000004
【図３】
2006259193.tif 000005
【図４】
2006259193.tif 000006